(57)【要約】【課題】窓領域を介して視認可能にした物品の位置を収容空間内で安定させることができるバッグを提供すること。【解決手段】底壁１１と、底壁１１の周囲に立設する側壁１２と、底壁１１及び側壁１２よって形成された収容空間１３と、側壁１２に形成されると共に透明部材によって覆われた窓領域１４と、を備え、窓領域１４を介して外部から収容空間１３の内部を視認可能なバッグ１であって、収容空間１３の内部には、収容空間１３を挟んで窓領域１４に対峙する対峙領域１７の上方縁部Ａに固定され、収容空間１３内に収容された物品Ｂを係止する係止部１８が設けられている構成とした。【選択図】図１
2019047995.tif 000002
【特許請求の範囲】
【請求項１】
底壁と、前記底壁の周囲に立設する側壁と、前記底壁及び前記側壁よって形成された収容空間と、前記側壁に形成されると共に透明部材によって覆われた窓領域と、を備え、前記窓領域を介して外部から前記収容空間の内部を視認可能なバッグであって、
前記収容空間の内部には、前記窓領域に前記収容空間を挟んで対峙する対峙領域の上方縁部に固定され、前記収容空間内に収容された物品を係止する係止部が設けられている
ことを特徴とするバッグ。
【請求項２】
請求項１に記載されたバッグにおいて、
前記対峙領域には、模様が設けられている
ことを特徴とするバッグ。
【請求項３】
請求項１又は請求項２に記載されたバッグにおいて、
前記窓領域の周縁部又は前記透明部材の少なくとも一方には、模様が設けられている
ことを特徴とするバッグ。
【発明の詳細な説明】
【技術分野】
【０００１】
本発明は、側壁に形成された窓領域を介して外部から収容空間の内部を視認可能なバッグに関する発明である。
【背景技術】
【０００２】
従来、収容空間を形成すると共に透明な窓領域が形成された側壁と、側壁の内面に沿って窓領域を覆う隔壁と、を備え、側壁と隔壁との間に装飾部材を挿入し、窓領域を介してこの装飾部材を外部から視認可能にしたバッグが知られている（例えば、特許文献１参照）。
【先行技術文献】
【特許文献】
【０００３】
【特許文献１】特開２０１２-３５０１１号公報
【発明の概要】
【発明が解決しようとする課題】
【０００４】
ところで、従来のバッグは、装飾部材の位置がずれるのを防止するための位置ずれ防止部材が側壁に設けられている。しかしながら、この位置ずれ防止部材は、側壁の高さ方向の中間位置に固定されている。そのため、装飾部材の重みが位置ずれ防止部材に加わったときに、位置ずれ防止部材が固定された部分の側壁が変形し、装飾部材の位置を安定させることができないおそれがある。
【０００５】
本発明は、上記問題に着目してなされたもので、窓領域を介して視認可能にした物品の位置を収容空間内で安定させることができるバッグを提供することを目的とする。
【課題を解決するための手段】
【０００６】
上記目的を達成するため、本発明のバッグは、底壁と、底壁の周囲に立設する側壁と、底壁及び側壁よって形成された収容空間と、側壁に形成されると共に透明部材によって覆われた窓領域と、を備え、窓領域を介して外部から収容空間の内部を視認可能なバッグである。
そして、前記収容空間の内部には、窓領域に収容空間を挟んで対峙する対面領域の上方縁部に固定され、収容空間内に収容された物品を係止する係止部が設けられている。
【発明の効果】
【０００７】
このように構成されたバッグでは、収容空間内に収容された物品を係止する係止部を固定した位置である上方縁部が、例えば側壁の中間位置と比べて比較的強度が高いので、係止部に物品の重みが加わっても側壁の変形が生じにくい。この結果、窓領域を介して視認可能にした物品の位置を収容空間内で安定させることができる。
【図面の簡単な説明】
【０００８】
【図１】実施例１のバッグの外観斜視図である。
【図２】実施例１のバッグの正面図である。
【図３】実施例１のバッグの内部を示す斜視図である。
【図４】実施例１のバッグに物品を収容した使用状態を示す斜視図である。
【図５】実施例１のバッグの変形例を示す外観斜視図である。
【発明を実施するための形態】
【０００９】
以下、本発明のバッグを実施するための形態を、図面に示す実施例１に基づいて説明する。
【００１０】
（実施例１）
まず、構成を説明する。
実施例１におけるバッグ１は、図１に示すように、持ち手を有していないポーチタイプである。このバッグ１は、帯状の底壁１１と、底壁１１の周囲に立設する側壁１２と、底壁１１及び側壁１２よって形成された収容空間１３と、側壁１２に形成された窓領域１４と、収容空間１３を上方に開放する開口部１５と、を備えている。
【００１１】
ここで、底壁１１及び側壁１２は、布や合成皮革、合成樹脂シート、紙、天然皮革、不織布等の可撓性を有するシート状部材により構成されている。側壁１２は、底壁１１を挟んで対向配置された半楕円状の正面部１２ａ及び背面部１２ｂと、正面部１２ａの周縁部１２ｃと背面部１２ｂの周縁部１２ｄとを連結する帯状のマチ部１２ｅと、を有している。そして、収容空間１３は、底壁１１と、側壁１２の正面部１２ａ、背面部１２ｂ、マチ部１２ｅとによって囲まれている。
【００１２】
なお、底壁１１と側壁１２との連結部分、正面部１２ａとマチ部１２ｅとの連結部分、背面部１２ｂとマチ部１２ｅとの連結部分は、いずれも縫製や融着によって接合されている。また、開口部１５は、マチ部１２ｅの一部に形成され、この開口部１５を開閉自在にするスライドファスナー１６が設けられている。
【００１３】
窓領域１４は、側壁１２の正面部１２ａに形成され、例えば透明な塩化ビニール、ポリプロピレン、ポリエチレン等の透明部材によって覆われている。ここでは、正面部１２ａ自体を透明塩化ビニール等の透明な材質によって形成することで、正面部１２ａの全面を透明部材で覆われた窓領域１４としている。
また、この窓領域１４である正面部１２ａには、下側周縁部に沿って模様Ｍ１が設けられている。この模様Ｍ１は、不透明なインクやプリントで正面部１２ａに描かれており、外部から視認可能になっている。なお、この実施例１では、正面部１２ａが透明な材質で形成されているので、模様Ｍ１は、正面部１２ａの内外いずれに設けられてもよい。一方、正面部１２ａが不透明な材質で形成されている場合には、模様Ｍ１は正面部１２ａの外側面に設けられる。
【００１４】
さらに、側壁１２は、収容空間１３を挟んで窓領域１４に対峙する対峙領域１７を、側壁１２の正面部１２ａに対向配置された背面部１２ｂの内側面１２ｆ（図３参照）に有している。なお、この実施例１では、正面部１２ａの全面を窓領域１４としているため、背面部１２ｂの内側面１２ｆのほぼ全面が対峙領域１７となる。
この対峙領域１７は、不透明な素材で形成されていたり、不透明なインク等が印刷されたりしていて、窓領域１４を介して外部から視認可能である。さらに、この対峙領域１７には、模様Ｍ２が設けられている。この模様Ｍ２は、不透明なインクやプリントで背面部１２ｂの内側面１２ｆに描かれている。
【００１５】
そして、収容空間１３の内部には、対峙領域１７の上方縁部（図２において破線Ａで囲んだ部分）に固定された係止部１８が設けられている。この係止部１８には、図４に示すように、収容空間１３内に収容された物品Ｂに設けられた被係止部αが係止される。
ここで、「上方縁部」とは、対峙領域１７の上側に位置する背面部１２ｂとマチ部１２ｅとの連結部分である。この連結部分は、背面部１２ｂとマチ部１２ｅを縫製や融着によって接合することで強度が高くなっている。つまり、「上方縁部」は、対峙領域１７よりも上側の側壁１２の端部であって、縫製等の処理を施すことで強度が高くなっている部分である。
【００１６】
係止部１８は、図３に示すように、ループ状に折り曲げられた紐状部材によって形成され、端部が背面部１２ｂとマチ部１２ｅに間に挟み込まれて、この背面部１２ｂ及びマチ部１２ｅと一緒に縫い付け固定されている。
なお、ここでは、上方縁部Ａに沿って間隔を開けて二つの係止部１８が設けられている。
【００１７】
さらに、この実施例１では、ループ状に折り曲げられた紐状部材によって形成され、収容空間１３の外部に突出した第２係止部１９が設けられている。この第２係止部１９は、図１に示すように、端部が背面部１２ｂとマチ部１２ｅに間に挟み込まれて、この背面部１２ｂ及びマチ部１２ｅと一緒に縫い付け固定されている。この第２係止部１９には、バッグ１をベルトや他のバッグ等に取り付けるために、カラビナ等の連結具が取り付けられる。
【００１８】
次に、作用を説明する。
実施例１のバッグ１は、通常は一般的なポーチとして使用することができ、スライドファスナー１６を開いて開口部１５を開放し、この開口部１５を介して小物やぬいぐるみ等の物品Ｂを収容空間１３に入れたり、収容空間１３から出したりすることができる。
【００１９】
また、このバッグ１では、側壁１２の正面部１２ａが透明な窓領域１４であり、図４に示すように、この窓領域１４である正面部１２ａを介して収容空間１３に収容された物品Ｂを外部から視認することができる。
【００２０】
さらに、このバッグ１は、収容空間１３の内部に、この収容空間１３内に収容された物品Ｂを係止する係止部１８が設けられている。そのため、収容空間１３に収容する物品Ｂに設けられた被係止部αをこの係止部１８に係止することで、物品Ｂが収容空間１３内で移動することを防止できる。
【００２１】
しかも、この係止部１８は、窓領域１４に収容空間１３を挟んで対峙する対峙領域１７の上方縁部Ａに固定されている。そのため、この係止部１８を、例えば側壁１２の中間部等よりも比較的強度が高い部分に固定することができ、係止部１８に被係止部αを係止することで、物品Ｂの重みが係止部１８に作用しても、側壁１２が変形することを防止できる。そして、側壁１２の変形が防止できることで、窓領域１４を介して視認可能な物品Ｂの位置を、収容空間１３内で安定させることができる。
また、係止部１８を対峙領域１７の上方縁部Ａに固定したことで、この係止部１８に被係止部αを介して係止された物品Ｂは、対峙領域１７の前方に配置されることになる。そのため、窓領域１４を介してこの物品Ｂを確実に視認することができる。
【００２２】
さらに、係止部１８を対峙領域１７の上方縁部Ａに固定したので、この係止部１８に係止された物品Ｂは、窓領域１４と対峙領域１７との間の収容空間１３に配置される。このため、例えば、窓領域１４と、この窓領域１４の内面に沿って窓領域１４を覆う隔壁との間に物品Ｂを挿入する場合と比べて、厚みのある物品Ｂを配置することができ、外部から視認させる物品Ｂの種類の自由度を向上させることができる。
つまり、実施例１のバッグ１では、物品Ｂとして、図４に示すぬいぐるみだけでなく、厚みの少ないハンカチ等の布やシート類、キーホルダー等の小物等であっても、収容空間１３に収容することができる。
【００２３】
また、この実施例１では、対峙領域１７に模様Ｍ２が設けられている。ここで、この模様Ｍ２は、不透明なインクやプリントで背面部１２ｂの内側面１２ｆに描かれていて、窓領域１４を介して外部から視認可能になっている。
そのため、図４に示すように、収容空間１３に物品Ｂを収容した際、模様Ｍ２が物品Ｂの背景になり、物品Ｂの周囲を装飾して視認させることができる。また、物品Ｂの背後に背景があることで、物品Ｂの状態や状況を空想して楽しむことを可能にする。すなわち、このバッグ１を単なる収納容器としてだけではなく、ドールハウスや箱庭のような玩具的に使用することができる。
【００２４】
さらに、実施例１では、窓領域１４である正面部１２ａの下側周縁部に沿って模様Ｍ１が設けられている。そして、この模様Ｍ１は、不透明なインクやプリントで正面部１２ａに描かれており、外部から視認可能になっている。つまり、収容空間１３に収容した物品Ｂと、模様Ｍ１とを同時に視認することができる。
これにより、物品Ｂの周囲を装飾して視認させることができ、物品Ｂの状態や状況を空想して楽しむことを可能にする。また、対峙領域１７に設けた模様Ｍ２と合わせることで、物品Ｂの状態や状況をさらに空想させやすくすることができる。
【００２５】
なお、この実施例１では、係止部１８が上方縁部Ａに沿って二つ設けられている。そのため、収容空間１３に収容した二つの物品Ｂを係止部１８に係止することができる。これにより、二つの物品Ｂを用いて様々な空想をすることができ、さらに楽しむことができる。
【００２６】
次に、効果を説明する。
実施例１のバッグ１にあっては、下記に列挙する効果を得ることができる。
【００２７】
(1) 底壁１１と、前記底壁１１の周囲に立設する側壁１２と、前記底壁１１及び前記側壁１２よって形成された収容空間１３と、前記側壁１２に形成されると共に透明部材によって覆われた窓領域１４と、を備え、前記窓領域１４を介して外部から前記収容空間１３の内部を視認可能なバッグ１であって、
前記収容空間１３の内部には、前記収容空間１３を挟んで前記窓領域１４に対峙する対峙領域１７の上方縁部Ａに固定され、前記収容空間１３内に収容された物品Ｂを係止する係止部１８が設けられている構成とした。
これにより、窓領域１４を介して視認可能にした物品Ｂの位置を収容空間１３内で安定させることができる。
【００２８】
(2) 前記対峙領域１７には、模様Ｍ２が設けられている構成とした。
これにより、(1)の効果に加え、物品Ｂの周囲を装飾して視認させることができ、物品Ｂの状態や状況を空想して楽しむことを可能にする。
【００２９】
(3) 前記窓領域１４を覆う前記透明部材には、模様Ｍ１が設けられている構成とした。
これにより、(1)又は(2)の効果に加え、物品Ｂの周囲を装飾して視認させることができ、物品Ｂの状態や状況を空想して楽しむことを可能にする。
【００３０】
以上、本発明のバッグを実施例１に基づいて説明してきたが、具体的な構成については、この実施例に限られるものではなく、特許請求の範囲の各請求項に係る発明の要旨を逸脱しない限り、設計の変更や追加等は許容される。
【００３１】
実施例１では、正面部１２ａを透明な材質で形成し、この正面部１２ａの全面を窓領域１４とする例を示した。しかしながら、これに限らない。例えば、図５に示すバッグ１Ａのように、側壁１２を不透明な材質（布や人工皮革等）で形成し、この側壁１２の一部をくり抜くと共に、このくり抜いた部分を透明な塩化ビニールシート等の透明部材によって覆うことで窓領域１４を形成してもよい。
この場合では、窓領域１４の周囲が不透明な側壁１２で囲まれることになり、窓領域１４が額縁に収まっているような外観にすることができる。
【００３２】
さらに、この図５に示すバッグ１Ａにおいて、窓領域１４の周縁部の不透明な側壁１２に模様Ｍ１を設けることで、窓領域１４の周囲を装飾することができ、窓領域１４を強調して視認させることが可能となる。
【００３３】
また、実施例１では、バッグ１が持ち手を有していないポーチタイプである例を示したが、これに限らない。例えば、図５に示すバッグ１Ａのように、持ち手２０を有するショルダーバッグタイプや手提げバッグタイプであってもよい。また、開口部１５は、実施例１のようにスライドファスナー１６を設けてもよいし、図５に示すようなフルオープンの状態にしてもよい。さらに、ボタンやマグネットホック等を設けてもよい。
【００３４】
また、実施例１では、係止部１８がループ状に折り曲げた紐状部材によって形成された例を示した。しかしながらこれに限らず、被係止部αを係止することができればよいので、ナスカンやカニカン、Ｄカン、カラビナ、面ファスナー、スプリングホック、紐等であってもよい。いずれの係止部であっても、対峙領域１７の上方縁部Ａに固定することで、物品Ｂを係止しても安定して支持することができる。
【００３５】
さらに、実施例１では、少なくとも正面部１２ａが透明な材質によって形成した例を示したが、例えば底壁１１やマチ部１２ｅも透明な材質によって形成してもよい。さらに、背面部１２ｂも透明な材質によって形成してもよい。
【００３６】
また、窓領域１４は、正面部１２ａに形成されている例を示したが、これに限らない、外部から視認可能な位置であれば、側壁１２の任意の位置に形成することができる。また、窓領域１４の大きさも任意に設定することができ、正面部１２ａの一部に窓領域１４を形成してもよい。さらに、側壁１２の複数の位置に窓領域１４を形成してもよい。
【００３７】
さらに、係止部１８は、実施例１では上方縁部Ａに沿って二つ設ける例を示したが、これに限らない。係止部１８を一つだけ設ける場合あってもよいし、３つ以上の係止部１８を設けてもよい。また、一つの係止部１８に対して、複数の物品Ｂを係止可能にしてもよい。
【符号の説明】
【００３８】
１  バッグ
１１  底壁
１２  側壁
１２ａ  正面部
１２ｂ  背面部
１２ｅ  マチ部
１３  収容空間
１４  窓領域
１５  開口部
１７  対峙領域
１８  係止部
Ａ  上方縁部
Ｂ  物品
α  被係止部
【図１】
2019047995.tif 000003
【図２】
2019047995.tif 000004
【図３】
2019047995.tif 000005
【図４】
2019047995.tif 000006
【図５】
2019047995.tif 000007